(57)【要約】【課題】  容器本体内の粘性の低い液体を所望量だけ容易に排出させることができ、小さな容器にも採用できる簡単な構造の液体収納用容器を提供する。【解決手段】  液体収納用容器を、押圧により変形可能で弾性復元性を有し粘性の低い液体が収納される液体収納用容器本体１と、該容器本体１の円筒形開口部1a内に嵌着される円筒形嵌着部2aと円筒形開口部1aの先端に当接するフランジ部2bと内径が円筒形嵌着部2aの内径より小さいノズル部2cとから成るノズル体２と、ノズル体２のフランジ部2bとの間に所定空間Ａを形成するように嵌着される内栓３とから構成させ、液体流入口４から流入した粘性の低い液体を所定空間Ａ側へと導く細溝５を内栓３の嵌着部3aの外面とノズル体２の円筒形嵌着部2aの内面との間に設けて粘性の低い液体に大きな抵抗が加わるようにして粘性の低い液体が容易に所望量だけ排出されるようにする。【選択図】        図１
2005082233.tif 000002
【特許請求の範囲】
【請求項１】
押圧により変形可能で弾性復元性を有し粘性の低い液体が収納される液体収納用容器本体(１)と、該液体収納用容器本体(１)の円筒形開口部(1a)内に嵌着される円筒形嵌着部(2a)と該円筒形嵌着部(2a)の先端に設けられていて該液体収納用容器本体(１)の円筒形開口部(1a)の先端に当接するフランジ部(2b)と該フランジ部(2b)中央から外部に向けて突設されていて内径が該円筒形嵌着部(2a)の内径より小さいノズル部(2c)とから成るノズル体(２)と、該ノズル体(２)のフランジ部(2b)との間に所定空間(Ａ)を形成するように該ノズル体(２)の円筒形嵌着部(2a)の内面に嵌着部(3a)が嵌着される内栓(３)とから成る液体収納用容器であって、液体流入口(４)から流入した粘性の低い液体を途中で該ノズル体(２)の円筒形嵌着部(2a)の軸方向と直角及び／又は該ノズル体(２)のフランジ部(2b)と反対側に流動させた後に前記所定空間(Ａ)側へと導く細溝(５)が、該内栓(３)の嵌着部(3a)の外面と該内栓(３)の嵌着部(3a)が嵌着している部分の該ノズル体(２)の円筒形嵌着部(2a)の内面との間に設けられており、該細溝(５)によって導かれた粘性の低い液体を該所定空間(Ａ)へと排出する液体排出口(６)が、該内栓(３)の嵌着部(3a)の外面の先端及び／又は該内栓(３)の嵌着部(3a)が嵌着している部分の該ノズル体(２)の円筒形嵌着部(2a)の内面の先端に設けられていることを特徴とする液体収納用容器。
【請求項２】
液体流入口(４)が内栓(３)の嵌着部(3a)の外面の後端及び／又は該内栓(３)の嵌着部(3a)が嵌着している部分のノズル体(２)の円筒形嵌着部(2a)の内面の後端に設けられている請求項１に記載の液体収納用容器。
【請求項３】
内栓(３)が先端に閉塞部(3b)を有する円筒状であって、液体流入口(４)が該内栓(３)の円筒状の嵌着部(3a)に内面から外面に貫通して設けられている請求項１又は２に記載の液体収納用容器。
【請求項４】
細溝(５)が内栓(３)の嵌着部(3a)の外面にのみ設けられている請求項１から３までのいずれか１項に記載の液体収納用容器。
【請求項５】
細溝(５)が内栓(３)の嵌着部(3a)が嵌着している部分のノズル体(２)の円筒形嵌着部(2a)の内面にのみ設けられている請求項１から３までのいずれか１項に記載の液体収納用容器。
【請求項６】
細溝(５)が内栓(３)の嵌着部(3a)の外面及び該内栓(３)の嵌着部(3a)が嵌着している部分のノズル体(２)の円筒形嵌着部(2a)の内面に設けられている請求項１から３までのいずれか１項に記載の液体収納用容器。
【請求項７】
複数の細溝(５)が互いに独立した状態で設けられている請求項１から６までのいずれか１項に記載の液体収納用容器。
【請求項８】
複数の細溝(５)が設けられていて少なくとも一組の細溝(５，５)間が連通されている請求項１から６までのいずれか１項に記載の液体収納用容器。
【請求項９】
細溝(５)が途中で分岐及び合流している請求項１から８までのいずれか１項に記載の液体収納用容器。
【発明の詳細な説明】
【技術分野】
【０００１】
本発明は、収納されている粘性の低い液体を所望量だけ容易に排出させることができる液体収納用容器に関するものである。
【背景技術】
【０００２】
従来の液体収納用容器としては、押圧により変形可能で弾性復元性を有する容器本体を指等で押圧し変形させて容器内部の圧力を高めることによって、容器内部の液体を排出させる構造のものが多用されている。
【０００３】
その際、収納されている液体が粘性の高い液体の場合は容器本体を強く押圧しても高い粘性が抵抗となって過度に排出されることがなく、容易に所望量だけ排出させることができる。
【０００４】
しかしながら収納されている液体が粘性の低い液体の場合には、粘性による抵抗が小さいので容器本体が押圧により変形されると容器本体内の圧力変化に敏感に反応して勢いよく排出され所望量だけ排出させることが難しい。また容器を指で保持していると容器内の空気の温度が指から伝わる熱で上昇して容器内の空気が僅かに膨張するが、粘性の低い液体の場合にはこのような空気の僅かな膨張によっても排出されてしまうなどの問題も生じ易い。
【０００５】
このような問題に対して、収納されている粘性の低い液体を定量ずつ排出させることができるようにした容器として、容器の口部に設けられた外ネジに螺合する内ネジが形成されたネジキャップと、ネジキャップ内に所定間隔を隔てて設けられた一対のバルブシートと、バルブシート間に備えられたボールと、ネジキャップ内に摺動自在に設けられボールを移動させるための押し棒と、ボールを押し棒側のバルブシートのテーパ内面に圧接するためのコイルバネとを備えていて、押し棒の非操作時にはボールが常にこのテーパ内面に付勢されているためネジキャップ内の密閉性が確保される消毒液分注器がある（例えば、特許文献１参照。）。しかしながらこの消毒液分注器は、容器先端のノズルに相当する押し棒を押すことによって一定量の消毒液を排出させる従来からある排出機構に加えて、消毒液のボタ落ちを防ぐボールが内装されている複雑な構造であるから、特に小さな容器には使用できないという問題がある。
【０００６】
また小さな容器に収納された粘性の低い液体を容易に排出させるものとしては、弾性変形可能な容器本体にキャップ接続部を設け、そのキャップ接続部内に挿入された噴出筒シリンダー容器本体内に位置する部位にバルブを設けた定圧量点眼容器がある（例えば、特許文献２参照。）。しかしながらこの定圧量点眼容器は点眼容器であるから小さいにも拘わらず、前記の消毒液分注器と同様にバルブ等の多数の部品が点眼液が排出される狭い部位に詰め込まれているから、製造が困難で故障し易いという問題がある。
【０００７】
【特許文献１】特開平６−３４５１１３号公報
【特許文献２】特開２０００−２１０３６８号公報
【発明の開示】
【発明が解決しようとする課題】
【０００８】
本発明は前記の問題に鑑み、容器本体内の粘性の低い液体を所望量だけ容易に排出させることができ、構造が簡単で小さな容器としても使用できる液体収納用容器を提供することを課題とする。
【課題を解決するための手段】
【０００９】
本発明者は前記課題を解決すべく鋭意検討を重ねた結果、液体収納用容器を、押圧により変形可能で弾性復元性を有し粘性の低い液体が収納される液体収納用容器本体と、液体収納用容器本体の円筒形開口部内に嵌着される円筒形嵌着部とその円筒形嵌着部の先端に設けられていて液体収納用容器本体の円筒形開口部の先端に当接するフランジ部とそのフランジ部中央から外部に向けて突設されていて内径が円筒形嵌着部の内径より小さいノズル部とから成るノズル体と、ノズル体のフランジ部との間に所定空間を形成するようにノズル体の円筒形嵌着部の内面に嵌着部が嵌着される内栓とから構成し、液体流入口から流入した粘性の低い液体を途中でノズル体の円筒形嵌着部の軸方向と直角及び／又はノズル体のフランジ部と反対側に流動させた後に前記所定空間側へと導く細溝を内栓の嵌着部の外面と内栓の嵌着部が嵌着している部分のノズル体の円筒形嵌着部の内面との間に設ければ、粘性の低い液体は外部に排出される前に細溝を通るので、粘性の低い液体は大きな抵抗が加わり過度に排出されることがなく容易に所望量だけ排出させることができ、また従来の液体収納用容器に比べて内栓を新たに設けると共に細溝を内栓の嵌着部の外面と内栓の嵌着部が嵌着している部分のノズル体の円筒形嵌着部の内面との間に設けるだけであるから構造が簡単で安価に製造でき、小さな容器としても使用できることを究明して本発明を完成したのである。
【００１０】
即ち本発明は、押圧により変形可能で弾性復元性を有し粘性の低い液体が収納される液体収納用容器本体と、液体収納用容器本体の円筒形開口部内に嵌着される円筒形嵌着部と円筒形嵌着部の先端に設けられていて液体収納用容器本体の円筒形開口部の先端に当接するフランジ部とフランジ部中央から外部に向けて突設されていて内径が円筒形嵌着部の内径より小さいノズル部とから成るノズル体と、ノズル体のフランジ部との間に所定空間を形成するようにノズル体の円筒形嵌着部の内面に嵌着部が嵌着される内栓とから成る液体収納用容器であって、液体流入口から流入した粘性の低い液体を途中でノズル体の円筒形嵌着部の軸方向と直角及び／又はノズル体のフランジ部と反対側に流動させた後に前記所定空間側へと導く細溝が、内栓の嵌着部の外面と内栓の嵌着部が嵌着している部分のノズル体の円筒形嵌着部の内面との間に設けられており、細溝によって導かれた粘性の低い液体を所定空間へと排出する液体排出口が、内栓の嵌着部の外面の先端及び／又は内栓の嵌着部が嵌着している部分のノズル体の円筒形嵌着部の内面の先端に設けられていることを特徴とする液体収納用容器である。
【００１１】
また、前述したような構造において、液体流入口が内栓の嵌着部の外面の後端及び／又は内栓の嵌着部が嵌着している部分のノズル体の円筒形嵌着部の内面の後端に設けられていると、内栓の形状が中実の円柱状か閉塞部を有する中空の円筒状かに関係なく加工が容易で好ましく、内栓が先端に閉塞部を有する円筒状であって液体流入口が内栓の円筒状の嵌着部に内面から外面に貫通して設けられていると、内栓が先端に閉塞部を有する円筒状形状である場合に液体収納用容器本体内の粘性の低い液体を容易に細溝へ流入させることができて好ましく、細溝が内栓の嵌着部の外面にのみ設けられていたり内栓の嵌着部が嵌着している部分のノズル体の円筒形嵌着部の内面にのみ設けられていると、細溝の加工が容易にできて好ましく、細溝が内栓の嵌着部の外面及び内栓の嵌着部が嵌着している部分のノズル体の円筒形嵌着部の内面に設けられていると、内栓やノズル体の円筒形嵌着部の形状や厚さによって充分な深さの細溝が設けられない場合や複数の細溝を設ける必要がある場合などに細溝を容易に設けることができて好ましいことも究明したのである。
【００１２】
また、複数の細溝が互いに独立した状態で設けられていると、大型の容器のように一本の細溝だけでは充分に粘性の低い液体を排出できない場合などに充分な量の粘性の低い液体を容易に排出させることができて好ましく、複数の細溝が設けられていて少なくとも一組の細溝間が連通されていると、細溝内を流動する粘性の低い液体は連通された部分でスムーズに流れ難くなり大きな抵抗を加えられるので粘性の低い液体を容易に所望量だけを排出させることができて好ましく、細溝が途中で分岐及び合流していると、分岐及び合流する毎に粘性の低い液体に大きな抵抗を加えられるので粘性の低い液体を容易に所望量だけを排出させることができて好ましいことも究明したのである。
【発明の効果】
【００１３】
本発明に係る液体収納用容器は、押圧により変形可能で弾性復元性を有し粘性の低い液体が収納される液体収納用容器本体と、液体収納用容器本体の円筒形開口部内に嵌着される円筒形嵌着部と円筒形嵌着部の先端に設けられていて液体収納用容器本体の円筒形開口部の先端に当接するフランジ部とフランジ部中央から外部に向けて突設されていて内径が円筒形嵌着部の内径より小さいノズル部とから成るノズル体と、ノズル体のフランジ部との間に所定空間を形成するようにノズル体の円筒形嵌着部の内面に嵌着部が嵌着される内栓とから構成されていて、液体流入口から流入した粘性の低い液体を途中でノズル体の円筒形嵌着部の軸方向と直角及び／又はノズル体のフランジ部と反対側に流動させた後に前記所定空間側へと導く細溝が、内栓の嵌着部の外面と内栓の嵌着部が嵌着している部分のノズル体の円筒形嵌着部の内面との間に設けられており、細溝によって導かれた粘性の低い液体を所定空間へと排出する液体排出口が、内栓の嵌着部の外面の先端及び／又は内栓の嵌着部が嵌着している部分のノズル体の円筒形嵌着部の内面の先端に設けられているから、粘性の低い液体は外部に排出される前に細溝を通るので、粘性の低い液体は大きな抵抗が加わり過度に排出されることがなく容易に所望量だけ排出させることができ、また従来の液体収納用容器に比べて内栓を新たに設けると共に細溝を内栓の嵌着部の外面と内栓の嵌着部が嵌着している部分のノズル体の円筒形嵌着部の内面との間に設けるだけであるから構造が簡単で安価に製造でき、小さな容器としても使用できるのである。
【００１４】
また、液体流入口が内栓の嵌着部の外面の後端及び／又は内栓の嵌着部が嵌着している部分のノズル体の円筒形嵌着部の内面の後端に設けられていると、内栓の形状が中実の円柱状か閉塞部を有する中空の円筒状かに関係なく加工が容易にでき、内栓が先端に閉塞部を有する円筒状であって液体流入口が内栓の円筒状の嵌着部に内面から外面に貫通して設けられていると、内栓が先端に閉塞部を有する円筒状形状である場合にはその円筒状の嵌着部に液体流入口を設けることで液体収納用容器本体内の粘性の低い液体を容易に流入させることができ、細溝が内栓の嵌着部の外面にのみ設けられていたり内栓の嵌着部が嵌着している部分のノズル体の円筒形嵌着部の内面にのみ設けられていると、細溝の加工が容易にでき、細溝が内栓の嵌着部の外面及び内栓の嵌着部が嵌着している部分のノズル体の円筒形嵌着部の内面に設けられていると、内栓やノズル体の円筒形嵌着部の形状や厚さによって充分な深さの細溝が設けられない場合や複数の細溝を設ける必要がある場合などに細溝を容易に設けることができるのである。
【００１５】
更に複数の細溝が互いに独立した状態で設けられていると、大型の容器のように一本の細溝だけでは充分に粘性の低い液体を排出できない場合などに充分な量の粘性の低い液体を容易に排出させることができ、複数の細溝が設けられていて少なくとも一組の細溝間が連通されていると、細溝内を流動する粘性の低い液体は連通された部分でスムーズに流れ難くなり粘性の低い液体に大きな抵抗を加えられるので容易に所望量だけ排出させることができ、細溝が途中で分岐及び合流していると、分岐及び合流する毎に粘性の低い液体に大きな抵抗が加わるので過度に排出されることがなく容易に所望量だけ排出させることができるのである。
【発明を実施するための最良の形態】
【００１６】
以下、図面を用いて本発明に係る液体収納用容器について詳細に説明する。
図１は本発明に係る液体収納用容器の１実施例の縦断面説明図、図２は図１における内栓の斜視図、図３は内栓の他の態様を示す斜視図、図４は内栓の更に他の態様を示す斜視図、図５は内栓の更に他の態様を示す斜視図、図６は本発明に係る液体収納用容器の他の実施例の縦断面説明図、図７は図６におけるノズル体の断面斜視図である。
【００１７】
図面中、１は押圧により変形可能で弾性復元性を有し粘性の低い液体が収納される液体収納用容器本体であり、粘性の低い液体の残量が確認できるように透明又は半透明の合成樹脂等から成形されているとよいが、感光性の液体を収納する場合には遮光性の高い着色された合成樹脂等から成形されているとよい。なお液体収納用容器本体１内に収納される粘性の低い液体は、粘性が水やエタノール等と同程度に低い液体である。
【００１８】
２は液体収納用容器本体１の円筒形開口部1a内に嵌着される円筒形嵌着部2aと円筒形嵌着部2aの先端に設けられていて液体収納用容器本体１の円筒形開口部1aの先端に当接するフランジ部2bとフランジ部2b中央から外部に向けて突設されていて内径が円筒形嵌着部2aの内径より小さいノズル部2cとから成るノズル体である。
【００１９】
３はノズル体２のフランジ部2bとの間に所定空間Ａを形成するようにノズル体２の円筒形嵌着部2aの内面に嵌着部3aが嵌着される内栓である。
【００２０】
４は液体流入口であり、この液体流入口４が内栓３の嵌着部3aの外面の後端及び／又は内栓３の嵌着部3aが嵌着している部分のノズル体２の円筒形嵌着部2aの内面の後端に設けられていると、内栓３の形状が中実の円柱状か閉塞部を有する中空の円筒状かに関係なく加工が容易で好ましく、内栓３が先端に閉塞部3bを有する円筒状であって液体流入口４が内栓３の円筒状の嵌着部3aに内面から外面に貫通して設けられていると、内栓３が先端に閉塞部3bを有する円筒状形状である場合にはその円筒状の嵌着部3aに液体流入口４を設けることで液体収納用容器本体１内の粘性の低い液体を容易に流入させることができて好ましい。
【００２１】
５は液体流入口４から流入した粘性の低い液体を途中でノズル体２の円筒形嵌着部2aの軸方向と直角及び／又はノズル体２のフランジ部2bと反対側に流動させた後に所定空間Ａ側へと導く細溝であり、この細溝５は内栓３の嵌着部3aの外面と内栓３の嵌着部3aが嵌着している部分のノズル体２の円筒形嵌着部2aの内面との間に設けられている。
【００２２】
この細溝５が内栓３の嵌着部3aの外面にのみ設けられていたり内栓３の嵌着部3aが嵌着している部分のノズル体２の円筒形嵌着部2aの内面にのみ設けられていると、細溝５の加工が容易且つ安価にできて好ましく、細溝５が内栓３の嵌着部3aの外面及び内栓の嵌着部3aが嵌着している部分のノズル体２の円筒形嵌着部2aの内面に設けられていると、内栓３やノズル体２の円筒形嵌着部2aの形状や厚さによって充分な深さの細溝５が設けられない場合や複数の細溝を設ける場合などに細溝５を容易に設けることができて好ましい。
【００２３】
また複数の細溝５が互いに独立した状態で設けられていると、一本の細溝５だけでは充分に粘性の低い液体を排出できない場合などに粘性の低い液体を容易に排出させることができて好ましく、複数の細溝５が設けられていて少なくとも一組の細溝５，５間が連通されていると、その連通部分で粘性の低い液体に大きな抵抗が加わり粘性の低い液体が過度に排出されることがなくなって好ましく、細溝５が途中で分岐及び合流していると、分岐及び合流する毎に粘性の低い液体に大きな抵抗が加わるので容易に所望量だけ粘性の低い液体を排出させることができて好ましいのである。
【００２４】
６は細溝５によって導かれた粘性の低い液体を所定空間Ａへと排出する液体排出口であり、この液体排出口６は内栓３の嵌着部3aの外面の先端及び／又は内栓３の嵌着部3aが嵌着している部分のノズル体２の円筒形嵌着部2aの内面の先端に設けられている。
【００２５】
このような構成を有する本発明に係る液体収納用容器としては、図１に示すような態様がある。この液体収納用容器では、内栓３が図２に示すように先端に閉塞部3bを有する円筒状となっていて、内栓３の嵌着部3aの外面には独立した細溝５が２つ設けられている。液体流入口４は内栓３の円筒状の嵌着部3aに内面から外面に貫通して設けられており、また液体排出口６は内栓３の嵌着部3aの外面の先端に設けられている。
【００２６】
この態様では、粘性の低い液体は内栓３の嵌着部3aの内面側から液体流入口４を介して内栓３の嵌着部3aの外面に設けられた細溝５へと流入し、更に細溝５内に流入した粘性の低い液体は、先ずノズル体２のフランジ部2bと反対側に流動し、次にノズル体２のフランジ部2b側に流動し、再度フランジ部2bと反対側に流動せしめられた後に、ノズル体２のフランジ部2b側に流動せしめられて液体排出口６から所定空間Ａへと排出される。このように粘性の低い液体を細くて長い細溝５内を流動させると共に、粘性の低い液体が排出されるノズル体２のノズル部2cと反対側のフランジ部2b側に何度も流動させることによって粘性の低い液体は充分な抵抗を受けるから、粘性の低い液体が過度に排出されることがなく、所望量の粘性の低い液体を容易に排出させることができるのである。
【００２７】
また、図６に示す本発明に係る液体収納用容器の他の態様では、細溝５が内栓３ではなくノズル体２の円筒形嵌着部2aの内面に設けられており、このノズル体２には完全な円柱形状をした内栓３が嵌着されている。細溝５は、内栓３の嵌着部3aの外面と内栓３の嵌着部3aが嵌着している部分のノズル体２の円筒形嵌着部2aの内面との間に設けられていればよいから、図１に示す態様のように内栓３に設けられている場合だけでなく、図６に示す態様のようにノズル体２に設けられていても同様な効果が得られるのである。
【００２８】
更に内栓３の嵌着部3aやノズル体２の円筒形嵌着部2aの形状や厚さによって充分な深さの細溝５が設けられない場合や複数の細溝５を設ける必要がある場合などには、内栓３とノズル体２との両方に細溝５が設けられていると好ましく、例えば図６及び図７に示す細溝５が円筒形嵌着部2aの内面に設けられたノズル体２に、図２〜５に示すような細溝５が設けられた内栓３が嵌着されているとよいのである。
【００２９】
なお、内栓３の態様としては前記の図２に示す内栓３以外に図３〜５に示すような態様があり、これらの態様では図２に示す先端に閉塞部3bを有する円筒状の内栓３とは異なり円柱形状となっている。そのため、液体収納用容器本体１を逆さにして粘性の低い液体を排出させる際、図２に示す内栓３では、円筒状の内栓３の嵌着部3aの内面全体が粘性の低い液体に浸るから、液体流入口４は内栓３の嵌着部3aの内面であればどの位置に設けられていてもよいが、図３〜５に示す円柱状の内栓３では、内栓３の嵌着部3aの後端側のみが粘性の低い液体に浸るから、液体流入口４は内栓３の嵌着部3aの外面の後端に設けられているのである。
【００３０】
図３に示す内栓３は、嵌着部3aの外面に細溝５が１つだけ設けられている態様であるから、液体収納用容器本体１内から粘性の低い液体を少量しか所定空間Ａ側へと導くことができないので、粘性が低い液体は過度に排出されることがなく、所望量の粘性の低い液体が容易に排出されるのである。
【００３１】
また、図４に示す内栓３には複数の細溝５が設けられていて、その中の一組の細溝５，５間が連通されている。この態様の場合、細溝５内を流動する粘性の低い液体は連通された部分でスムーズに流れ難くなり大きな抵抗が加わるので、所望量の粘性の低い液体が容易に排出されるのである。
【００３２】
更に、図５に示す内栓３では、途中で分岐及び合流を繰り返してなる細溝５が内栓３の嵌着部3aの外面に設けられている。この態様も分岐及び合流する毎に大きな抵抗が加わるので、所望量の粘性の低い液体が容易に排出されるのである。
【図面の簡単な説明】
【００３３】
【図１】本発明に係る液体収納用容器の１実施例の縦断面説明図である。
【図２】図１における内栓の斜視図である。
【図３】内栓の他の態様を示す斜視図である。
【図４】内栓の更に他の態様を示す斜視図である。
【図５】内栓の更に他の態様を示す斜視図である。
【図６】本発明に係る液体収納用容器の他の実施例の縦断面説明図である。
【図７】図６におけるノズル体の断面斜視図である。
【符号の説明】
【００３４】
１  液体収納用容器本体
1a  円筒形開口部
２  ノズル体
2a  円筒形嵌着部
2b  フランジ部
2c  ノズル部
３  内栓
3a  嵌着部
3b  閉塞部
４  液体流入口
５  細溝
６  液体排出口
【図１】
2005082233.tif 000003
【図２】
2005082233.tif 000004
【図３】
2005082233.tif 000005
【図４】
2005082233.tif 000006
【図５】
2005082233.tif 000007
【図６】
2005082233.tif 000008
【図７】
2005082233.tif 000009